【手続補正書】
【提出日】平成19年4月13日(2007.4.13)
【手続補正１】
【補正対象書類名】明細書
【補正対象項目名】特許請求の範囲
【補正方法】変更
【補正の内容】
【特許請求の範囲】
【請求項１】
種々なる長さを有する光学的パターンを読取ることが出来る光学的情報読取装置であって、
光照射手段と、集光光学系（５）と、二次元電子走査形読取センサ（８）と、信号２値化手段と、信号重複部解消手段とを含有し、
上記二次元電子走査形読取センサ（８）は、第１の線状受光領域（８1）、第ｉの線状受光領域（８i）（但しｉ＝２，３，…，ｎ−１）、及び第ｎの線状受光領域（８n）からなるｎ個の線状受光領域（但しｎは２以上の整数）が垂直面内において互いに平行且つ水平に配置され、該各線状受光領 m域（８1〜８n）には複数のピクセルが水平方向に配列されておって、全体として横長状に配設され、
上記集光光学系（５）は、第１の結像レンズ（５1）、第ｉの結像レンズ（５i）（但しｉ＝２，３，…，ｎ−１）及び第ｎの結像レンズ（５n）のｎ個の結像レンズを含有しておって、上記二次元電子走査形読取センサ（８）の前方に配置され、
横幅が最大読取幅に達する光学的パターン（３）が、上記集光光学系（５）の前方に、略最大読取距離を隔てて横長状に置かれ、
該光学的パターン（３）上に線状反射領域（３c）が想定され、
該線状反射領域（３c）上に、該線状反射領域（３c）の端部を含む第１の反射区域（３c1）、第ｉ−１の反射区域（３ci-1）（但しｉ＝２，３，…，ｎ−１）に対して一端の近傍が重複する第ｉの反射区域（３ci）、及び第ｎ−１の反射区域（３cn-1）に対して一端の近傍が重複すると共に上記線状反射領域（３c）の他端を含む第ｎの反射区域（３cn）からなるｎ個の反射区域が想定されているとき、
上記第１の結像レンズ（５1）の光軸は、上記線状反射領域（３c）と上記第１の線状受光領域（８1）とを含む第１の平面内であって、しかも、上記第１の反射区域（３c1）の中心点から上記第１の線状受光領域（８1）の中心点に到る反射光の光路内に配置され、
上記第ｉの結像レンズ（５i）（但しｉ＝２，３，…，ｎ−１）の光軸は、上記線状反射領域（３c）と上記第ｉの線状受光領域（８i）とを含む第ｉの平面内であって、しかも、上記第ｉの反射区域（３ci）の中心点から上記第ｉの線状受光領域（８i）の中心点に到る反射光の光路内に配置され、
上記第ｎの結像レンズ（５n）の光軸は、上記線状反射領域（３c）と上記第ｎの線状受光領域（８n）とを含む第ｎの平面内であって、しかも、上記第ｎの反射区域（３cn）の中心点から上記第ｎの線状受光領域（８n）の中心点に到る反射光の光路内に配置され、
以って、上記光照射手段が上記光学的パターン（３）の全体を照射したとき、上記第１の反射区域（３c1）〜第ｎの反射区域（３cn）によってそれぞれ反射されて成る第１の光像〜第ｎの光像がそれぞれ、上記第１の結像レンズ（５1）〜第ｎの結像レンズ（５n）によって、上記第１の線状受光領域（８1）〜第ｎの線状受光領域（８n）上に結像せしめられ、
次いで、上記第１の線状受光領域（８1）〜第ｎの線状受光領域（８n）上の各ピクセルにおける光の強弱信号がそれぞれ信号電荷に光電変換され、当該信号電荷が蓄積され、当該各ピクセルに対してラスタ走査式の電子的走査がなされることによって、上記全ての信号電荷が時間軸上の一連の電気的アナログ信号に変換され、
上記一連の電気的アナログ信号が、上記信号２値化手段によって、一連の２値信号に変換され、上記一連の２値信号が、上記信号重複部解消手段によって、重複信号の一方を削除され、且つ縮合されることによって、上記光学的パターン（３）に対応する真正２値信号に変換される、
光学的情報読取装置。
【請求項２】
請求項１の光学的情報読取装置であって、一の筐体を含有し、
上記筐体は、その内部に、前記集光光学系（５）、前記二次元電子走査形読取センサ（８）、前記信号２値化手段、及び前記信号重複部解消手段の全部又は主要部が収納される、
光学的情報読取装置。
【請求項３】
水平方向に長大な寸法を有する光学的パターンを読取ることが出来る、光学的情報読取装置であって、
筐体（１）と、光照射手段（２）と、反射ミラー（４）と、集光光学系（５）と、二次元電子走査形読取センサ（８）と、信号２値化手段と、信号重複部解消手段とを含有し、
上記筐体（１）は、後部から中間部が水平筒形を成し、前部が末広がり形を成すと共に、途中の湾曲点迄は水平部、同湾曲点から先は下降部を成し、且つ、先端部に光出入口、内部に空洞が形成され、
上記光照射手段（２）は、１又は複数個の光源からなり、且つ、それらの光源は、上記光出入口の前方に最大読取可能距離を隔てて横長状に置かれた光学的パターン（３）の全体を照射可能にするために、同光出入口の内側近傍に点状、線分状、コの字状又はループ状に配列され、
上記反射ミラー（４）は、斜め下前方から到来する反射光を略水平方向に偏向させるために、上記湾曲点近傍の空洞内に、斜め下後ろ向きに配置され、
上記二次元電子走査形読取センサ（８）は、第１の線状受光領域（８1）、第ｉの線状受光領域（８i）（但しｉ＝２，３，…，ｎ−１）、及び第ｎの線状受光領域（８n）からなるｎ個の線状受光領域（但しｎは２以上の整数）が垂直面内において互いに平行且つ水平に配置され、該各線状受光領域（８1〜８n）には複数のピクセルが水平方向に密に配列されたものであって、上記筐体（１）の後部の空洞内に配置され、
上記集光光学系（５）は、第１の結像レンズ（５1）、第ｉの結像レンズ（５i）（但しｉ＝２，３，…，ｎ−１）及び第ｎの結像レンズ（５n）からなるｎ個の結像レンズを含有し、
横幅が最大読取幅に達する光学的パターン（３）が、上記集光光学系（５）の前方に、略最大読取距離を隔てて横長状に置かれ、
該光学的パターン（３）上に線状反射領域（３c）が想定され、
該線状反射領域（３c）上に、該線状反射領域（３c）の一端を含む第１の反射区域（３c1）、第ｉ−１の反射区域（３ci-1）（但しｉ＝２，３，…，ｎ−１）に対して一端の近傍が重複する第ｉの反射区域（３ci）、及び第ｎ−１の反射区域（３cn-1）に対して一端の近傍が重複すると共に上記線状反射領域（３c）の他端を含む第ｎの反射区域（３cn）からなるｎ個の反射区域が想定されているとき、
上記第１の結像レンズ（５1）の光軸は、上記線状反射領域（３c）から到来し、上記反射ミラー（４）で略水平方向に偏向され、上記二次元電子走査形読取センサ（８）上の第１の線状受光領域（８1）で受光される、略水平な反射光光束によって規定される、第１の平面内であって、しかも、上記第１の反射区域（３c1）の中心点から、上記反射ミラー（４）を介して、上記第１の線状受光領域（８1）の中心点に到る反射光の光路内に配置され、
上記第ｉの結像レンズ（５i）（但しｉ＝２，３，…，ｎ−１）の光軸は、上記線状反射領域（３c）から到来し、上記反射ミラー（４）で略水平方向に偏向され、上記二次元電子走査形読取センサ（８）上の第ｉの線状受光領域（８i）で受光される、略水平な反射光光束によって規定される、第ｉの平面内であって、しかも、上記第ｉの反射区域（３c1）の中心点から、上記反射ミラー（４）を介して、上記第ｉの線状受光領域（８i）の中心点に到る反射光の光路内に配置され、
上記第ｎの結像レンズ（５n）の光軸は、上記線状反射領域（３c）から到来し、上記反射ミラー（４）で略水平方向に偏向され、上記二次元電子走査形読取センサ（８）上の第ｎの線状受光領域（８n）で受光される、略水平な反射光光束によって規定される、第ｎの平面内であって、しかも、上記第ｎの反射区域（３cn）の中心点から、上記反射ミラー（４）を介して、上記第ｎの線状受光領域（８n）の中心点に到る反射光の光路内に配置され、
上記信号２値化手段は、上記空洞内のその余の部位に配置され、
以って、上記光照射手段（２）が上記光学的パターン（３）の全体を照射したとき、上記第１の反射区域（３c1）〜第ｎの反射区域（３cn）によってそれぞれ反射されて成る第１の光像〜第ｎの光像がそれぞれ、上記第１の結像レンズ（５1）〜第ｎの結像レンズ（５n）によって、上記第１の線状受光領域（８1）〜第ｎの線状受光領域（８n）上に結像せしめられ、
次いで、上記第１の線状受光領域（８1）〜第ｎの線状受光領域（８n）上の各ピクセルにおける光の強弱信号がそれぞれ信号電荷に光電変換され、当該信号電荷が蓄積され、当該各ピクセルに対してラスタ走査式の電子的走査がなされることによって、上記全ての信号電荷が時間軸上の一連の電気的アナログ信号に変換され、
上記一連の電気的アナログ信号が、上記信号２値化手段によって、一連の２値信号に変換され、
上記一連の２値信号が、上記信号重複部解消手段によって、重複信号の一方を削除され、且つ縮合されることによって、上記光学的パターン（３）に対応する真正２値信号に変換される、
光学的情報読取装置。
【請求項４】
請求項３の光学的情報読取装置であって、
前記筐体（１）の光出入口の横幅を超える長大な横幅を有する光学的パターン（３）が同光出入口の前方に最大読取可能距離を隔てて横長状に置かれたとき、同光学的パターン（３）における上記光出入口の横幅を超える部分の照度を特に大とするために、前記光照射手段（２）における光源の配設密度が前記光出入口の左端部又は右端部に近付くに連れて大とされて成る、
光学的情報読取装置。